(57)【要約】操作性のよい操作装置及び表示制御プログラムを提供する。画面の幅方向の中心を通る中心線Ｌ上に設定された画像表示領域ＥＡ１にプリントする画像を表示する。ボタン表示領域ＥＡ２に、画像のプリントを指示するプリントボタンＰＢ、及び、画像編集のメニューボタンＥＢ１〜ＥＢ３を画面の幅方向に沿って一列に並べて表示する。プリントボタンＰＢを中心線Ｌ上に配置し、かつ、他のボタンＥＢ１〜ＥＢ３よりも大きなサイズで表示する。画像編集のメニューボタンがタッチ操作された場合は、ボタン表示領域Ｅ２と画像表示領域Ｅ１との間の操作領域ＥＡ３に画像編集用の複数の操作ボタンを展開表示する。画像編集用の操作ボタンは、中心線Ｌ上に設定された点を中心として放射状かつ同一の円周上に表示する。
2020195637.tif 000002
【特許請求の範囲】
【請求項１】
画面へのタッチ操作を検出するタッチパネルと、
前記タッチパネルの表示を制御する表示制御部と、
を備え、
前記表示制御部は、
画面の幅方向の中心を通る中心線上に設定された画像表示領域に画像を表示し、
かつ、
前記画像表示領域に表示された画像のプリントを指示するプリントボタン、及び、画像編集のメニューボタンを含む複数のボタンを画面の幅方向に沿って並べて表示し、かつ、
前記中心線上に位置する前記ボタンを他の前記ボタンよりも大きなサイズで表示し、
かつ、
前記画像編集のメニューボタンがタッチ操作された場合は、前記ボタンが表示される領域と前記画像表示領域との間の領域に、画像編集用の複数の操作ボタンを展開表示し、
かつ、
前記画像編集用の複数の操作ボタンは、前記中心線上に設定された点を中心として放射状に表示する、
操作装置。
【請求項２】
前記表示制御部は、前記画像編集の複数の操作ボタンが表示された領域上でのスワイプ操作又はフリック操作に応じて、前記画像編集の複数の操作ボタンをスクロールさせる、
請求項１に記載の操作装置。
【請求項３】
前記画像編集の複数の操作ボタンの外形が、前記画像表示領域に表示される画像の外形と相似形状を有する、
請求項１又は２に記載の操作装置。
【請求項４】
画面へのタッチ操作を検出するタッチパネルと、
前記タッチパネルの表示を制御する表示制御部と、
を備え、
前記表示制御部は、
画面の幅方向の中心を通る中心線上に設定された画像表示領域に画像を表示し、
かつ、
前記画像表示領域に表示された画像のプリントを指示するプリントボタン、及び、画像編集のメニューボタンを含む複数のボタンを画面の幅方向に沿って並べて表示し、かつ、
前記中心線上に位置する前記ボタンを他の前記ボタンよりも大きなサイズで表示し、
かつ、
前記画像編集のメニューボタンがタッチ操作された場合は、前記ボタンが表示される領域と前記画像表示領域との間の領域に、画像編集用のスライドバーを表示し、
かつ、
前記画像編集用のスライドバーは、前記中心線上に設定された点を中心とする円に沿って表示する、
操作装置。
【請求項５】
前記プリントボタンを前記中心線上に配置する、
請求項１から４のいずれか１項に記載の操作装置。
【請求項６】
前記表示制御部は、前記画像表示領域に表示された画像を囲う枠であって、プリント物と同じ余白となる枠を更に表示する、
請求項１から５のいずれか１項に記載の操作装置。
【請求項７】
前記画像表示領域に表示された画像又は前記枠上でのスワイプ操作又はフリック操作によってプリントの指示を受け付ける、
請求項６に記載の操作装置。
【請求項８】
前記表示制御部は、前記画像表示領域に表示された画像のプリントが指示された場合に、前記画像表示領域に表示された画像を画面の幅方向と直交する方向に沿って移動させて画面から消してゆく、
請求項１から７のいずれか１項に記載の操作装置。
【請求項９】
前記表示制御部は、前記画像表示領域に表示された画像を画面の移動させている間、プリントのキャンセルを指示するキャンセルボタンを表示する、
請求項１から８のいずれか１項に記載の操作装置。
【請求項１０】
プリンタと通信する通信部と、
前記画像表示領域に表示された画像のプリントが指示された場合に、前記通信部を介して前記プリンタに画像データを送信する送信制御部と、
を更に備えた請求項１から９のいずれか１項に記載の操作装置。
【請求項１１】
前記プリンタは、インスタントフィルムに画像をプリントする、
請求項１０に記載の操作装置。
【請求項１２】
前記タッチパネルは、長方形状の画面を有し、画面の短辺の方向を幅方向とする、
請求項１から１１のいずれか１項に記載の操作装置。
【請求項１３】
画面へのタッチ操作を検出するタッチパネルの表示を制御する機能をコンピュータに実現させる表示制御プログラムであって、
画面の幅方向の中心を通る中心線上に設定された画像表示領域に画像を表示し、
かつ、
前記画像表示領域に表示された画像のプリントを指示するプリントボタン、及び、画像編集のメニューボタンを含む複数のボタンを画面の幅方向に沿って並べて表示し、かつ、
前記中心線上に位置する前記ボタンを他の前記ボタンよりも大きなサイズで表示し、
かつ、
前記画像編集のメニューボタンがタッチ操作された場合は、前記ボタンが表示される領域と前記画像表示領域との間の領域に、画像編集用の複数の操作ボタンを展開表示し、
かつ、
前記画像編集用の複数の操作ボタンは、前記中心線上に設定された点を中心として放射状に表示する、
表示制御プログラム。
【請求項１４】
画面へのタッチ操作を検出するタッチパネルの表示を制御する機能をコンピュータに実現させる表示制御プログラムであって、
画面の幅方向の中心を通る中心線上に設定された画像表示領域に画像を表示し、
かつ、
前記画像表示領域に表示された画像のプリントを指示するプリントボタン、及び、画像編集のメニューボタンを含む複数のボタンを画面の幅方向に沿って並べて表示し、かつ、
前記中心線上に位置する前記ボタンを他の前記ボタンよりも大きなサイズで表示し、
かつ、
前記画像編集のメニューボタンがタッチ操作された場合は、前記ボタンが表示される領域と前記画像表示領域との間の領域に、画像編集用のスライドバーを表示し、
かつ、
前記画像編集用のスライドバーは、前記中心線上に設定された点を中心とする円に沿って表示する、
表示制御プログラム。
【発明の詳細な説明】
【技術分野】
【０００１】
本発明は、操作装置及び表示制御プログラムに係り、特に、タッチパネルを用いた操作装置及び表示制御プログラムに関する。
【背景技術】
【０００２】
タッチパネルを備えた携帯端末（たとえば、スマートフォン、タブレット型コンピュータ等）では、主な操作がタッチパネルで行われる。携帯端末に保存されている画像をプリンタでプリントする場合も主な操作はタッチパネルで行われる。たとえば、プリントする画像の選択、加工、及び、プリントの指示等は、すべてタッチパネルへのタッチ操作で行われる（たとえば、特許文献１等参照）。
【先行技術文献】
【特許文献】
【０００３】
【特許文献１】特開２０１７−１８２６３２号公報
【発明の概要】
【発明が解決しようとする課題】
【０００４】
しかし、携帯端末に備えられているタッチパネルは画面サイズが小さい。このため、表示できる情報に限度がある。特に、画像をプリントする場合には、プリントする画像と共に各種ボタンを表示する必要があるが、一画面に表示できるボタン等の数には限度がある。ボタンのサイズを小さくして、表示数を増やすこともできるが、ボタンのサイズを小さくすると、操作性及び視認性が低下するという問題がある。また、ボタン操作に応じて、画面の表示を逐次切り換えることにより、表示可能な情報を増やすこともできるが、画面表示を切り換えると、表示が階層化され、必要な機能の呼び出しに手間がかかるという欠点がある。【０００５】
本発明は、このような事情に鑑みてなされたもので、操作性のよい操作装置及び表示制御プログラムを提供することを目的とする。
【課題を解決するための手段】
【０００６】
（１）画面へのタッチ操作を検出するタッチパネルと、タッチパネルの表示を制御する表示制御部と、を備え、表示制御部は、画面の幅方向の中心を通る中心線上に設定された画像表示領域に画像を表示し、かつ、画像表示領域に表示された画像のプリントを指示するプリントボタン、及び、画像編集のメニューボタンを含む複数のボタンを画面の幅方向に沿って並べて表示し、かつ、中心線上に位置するボタンを他のボタンよりも大きなサイズで表示し、かつ、画像編集のメニューボタンがタッチ操作された場合は、ボタンが表示される領域と画像表示領域との間の領域に、画像編集用の複数の操作ボタンを展開表示し、かつ、画像編集用の複数の操作ボタンは、中心線上に設定された点を中心として放射状に表示する、操作装置。【０００７】
（２）表示制御部は、画像編集の複数の操作ボタンが表示された領域上でのスワイプ操作又はフリック操作に応じて、画像編集の複数の操作ボタンをスクロールさせる、上記（１）の操作装置。【０００８】
（３）画像編集の複数の操作ボタンの外形が、画像表示領域に表示される画像の外形と相似形状を有する、上記（１）又は（２）の操作装置。【０００９】
（４）画面へのタッチ操作を検出するタッチパネルと、タッチパネルの表示を制御する表示制御部と、を備え、表示制御部は、画面の幅方向の中心を通る中心線上に設定された画像表示領域に画像を表示し、かつ、画像表示領域に表示された画像のプリントを指示するプリントボタン、及び、画像編集のメニューボタンを含む複数のボタンを画面の幅方向に沿って並べて表示し、かつ、中心線上に位置するボタンを他のボタンよりも大きなサイズで表示し、かつ、画像編集のメニューボタンがタッチ操作された場合は、ボタンが表示される領域と画像表示領域との間の領域に、画像編集用のスライドバーを表示し、かつ、画像編集用のスライドバーは、中心線上に設定された点を中心とする円に沿って表示する、操作装置。【００１０】
（５）プリントボタンを中心線上に配置する、上記（１）から（４）のいずれか一の操作装置。【００１１】
（６）表示制御部は、画像表示領域に表示された画像を囲う枠であって、プリント物と同じ余白となる枠を更に表示する、上記（１）から（５）のいずれか一の操作装置。【００１２】
（７）画像表示領域に表示された画像又は枠上でのスワイプ操作又はフリック操作によってプリントの指示を受け付ける、上記（６）の操作装置。【００１３】
（８）表示制御部は、画像表示領域に表示された画像のプリントが指示された場合に、画像表示領域に表示された画像を画面の幅方向と直交する方向に沿って移動させて画面から消してゆく、上記（１）から（７）のいずれか一の操作装置。【００１４】
（９）表示制御部は、画像表示領域に表示された画像を画面の移動させている間、プリントのキャンセルを指示するキャンセルボタンを表示する、上記（１）から（８）のいずれか一の操作装置。【００１５】
（１０）プリンタと通信する通信部と、画像表示領域に表示された画像のプリントが指示された場合に、通信部を介してプリンタに画像データを送信する送信制御部と、を更に備えた上記（１）から（９）のいずれか一の操作装置。【００１６】
（１１）プリンタは、インスタントフィルムに画像をプリントする、上記（１０）の操作装置。【００１７】
（１２）タッチパネルは、長方形状の画面を有し、画面の短辺の方向を幅方向とする、上記（１）から（１１）のいずれか一の操作装置。【００１８】
（１３）画面へのタッチ操作を検出するタッチパネルの表示を制御する機能をコンピュータに実現させる表示制御プログラムであって、画面の幅方向の中心を通る中心線上に設定された画像表示領域に画像を表示し、かつ、画像表示領域に表示された画像のプリントを指示するプリントボタン、及び、画像編集のメニューボタンを含む複数のボタンを画面の幅方向に沿って並べて表示し、かつ、中心線上に位置するボタンを他のボタンよりも大きなサイズで表示し、かつ、画像編集のメニューボタンがタッチ操作された場合は、ボタンが表示される領域と画像表示領域との間の領域に、画像編集用の複数の操作ボタンを展開表示し、かつ、画像編集用の複数の操作ボタンは、中心線上に設定された点を中心として放射状に表示する、表示制御プログラム。【００１９】
（１４）画面へのタッチ操作を検出するタッチパネルの表示を制御する機能をコンピュータに実現させる表示制御プログラムであって、画面の幅方向の中心を通る中心線上に設定された画像表示領域に画像を表示し、かつ、画像表示領域に表示された画像のプリントを指示するプリントボタン、及び、画像編集のメニューボタンを含む複数のボタンを画面の幅方向に沿って並べて表示し、かつ、中心線上に位置するボタンを他のボタンよりも大きなサイズで表示し、かつ、画像編集のメニューボタンがタッチ操作された場合は、ボタンが表示される領域と画像表示領域との間の領域に、画像編集用のスライドバーを表示し、かつ、画像編集用のスライドバーは、中心線上に設定された点を中心とする円に沿って表示する、表示制御プログラム。
【発明の効果】
【００２０】
本発明によれば、操作性のよい操作装置を提供できる。
【図面の簡単な説明】
【００２１】
【図１】本実施の形態のプリントシステムのシステム構成の一例を示す図
【図２】プリンタの外観構成の一例を示す正面斜視図
【図３】図２に示すプリンタの背面斜視図
【図４】プリンタのプリント部の概略構成を示す断面図
【図５】フィルムパックの斜視図
【図６】インスタントフィルムの正面図
【図７】インスタントフィルムの背面図
【図８】プリンタの電気的構成を示すブロック図
【図９】プリンタマイコンが実現する主な機能のブロック図
【図１０】携帯端末のハードウェア構成の一例を示すブロック図
【図１１】画像のプリントに関して携帯端末が有する主な機能のブロック図
【図１２】トップ画面の一例を示す図
【図１３】画像選択画面の一例を示す図
【図１４】プリント画像確認画面の一例を示す図
【図１５】拡大及び回転操作画面の一例を示す図
【図１６】フィルター操作画面の一例を示す図
【図１７】画質補正操作画面の一例を示す図
【図１８】プリントを指示した場合のアニメーション表示の一例を示す図
【図１９】テンプレートプリント選択画面の一例を示す図
【図２０】テンプレートプリントでのプリント画像確認画面の一例を示す図
【図２１】テンプレート切り換え操作画面の一例を示す図
【図２２】操作領域に表示される選択ボタンのスクロールの概念図
【図２３】分割フレーム選択画面の一例を示す図
【図２４】コラージュ画像作成画面の一例を示す図
【図２５】画像選択後のコラージュ画像作成画面の一例を示す図
【図２６】分割フレーム切り換え操作画面の一例を示す図
【図２７】フリック操作によりプリントを指示する場合の操作の概念図
【図２８】プリントのキャンセルの指示入力を受け付ける画面の一例を示す図
【図２９】操作のガイド画面の一例を示す図
【図３０】通信接続ボタンの表示の一例を示す図
【図３１】インスタントカメラの機能の操作画面の一例を示す図
【発明を実施するための形態】
【００２２】
以下、添付図面に従って本発明の好ましい実施の形態について詳説する。
【００２３】
［プリントシステム］
ここでは、携帯端末からプリンタに無線で画像を送信してプリントするシステムに本発明を適用した場合を例に説明する。この場合、携帯端末がプリンタの操作装置として機能する。
【００２４】
図１は、本実施の形態のプリントシステムのシステム構成の一例を示す図である。
【００２５】
同図に示すように、本実施の形態のプリントシステムは、プリンタ１０と、そのプリンタ１０を操作する携帯端末１００と、で構成される。
【００２６】
プリンタ１０は、持ち運びが可能なモバイルプリンタで構成される。また、プリンタ１０は、インスタントフィルム１２に画像をプリントするインスタントプリンタで構成される。インスタントフィルム１２には、シートフィルム方式（モノシートタイプともいう）が使用される。
【００２７】
携帯端末１００は、タッチパネルを備えたモバイルコンピュータ（たとえば、スマートフォン、ＰＤＡ（PERSONAL DATA ASSISTANCE）及びタブレット等）で構成される。なお、以下においては、携帯端末１００がスマートフォンで構成される場合を例に説明する。
【００２８】
プリンタ１０及び携帯端末（スマートフォン）１００は、ワイヤレスで接続される。プリンタ１０と携帯端末１００との間の通信は、たとえば、Ｂｌｕｅｔｏｏｔｈ（登録商標）、ＷｉＦｉ（Wireless Fidelity）等の近距離無線通信で行われる。
【００２９】
［プリンタの外観構成］
図２は、プリンタの外観構成の一例を示す正面斜視図である。図３は、図２に示すプリンタの背面斜視図である。
【００３０】
上記のように、プリンタ１０は、インスタントプリンタで構成される。インスタントフィルム１２は、複数枚がケースに収容されたフィルムパック（図５参照）の状態でプリンタ１０に装填される。
【００３１】
プリンタ本体１４は、丸みを帯びた平たい矩形の箱型の形状を有し、片手で把持して、持ち運びが可能に構成される。また、プリンタ本体１４は、縦置き（平坦な場所に立てて置くこと）及び横置き（平坦な場所に寝かせて置くこと）が可能に構成される。図１及び図２は、プリンタ１０を縦置きした場合を示している。
【００３２】
プリンタ１０の正面側には、ほぼ中央の位置に押下式の電源ボタン１６が備えられる。プリンタ１０は、この電源ボタン１６の長押し（一定時間以上押し続ける操作）によって、電源がオン及びオフされる。電源ボタン１６は、発光部を兼ね、その内側に備えられた光源部を発光させることにより、発光する。
【００３３】
プリンタ１０の上部（縦置きした場合の上部）には、排出口１８が備えられる。プリントされたインスタントフィルム１２は、この排出口１８から排出される。
【００３４】
プリンタ１０の背面側には、フィルムパック装填室（図４参照）を開閉するフィルムパック蓋２０が備えられる。また、そのフィルムパック蓋２０のロックを解除するロック解除レバー２２が備えられる。ロック解除レバー２２でロックを解除して、フィルムパック蓋２０を開けると、フィルムパック装填室が開放される。インスタントフィルムパックを装填後、フィルムパック蓋２０を閉めると、図示しないロック機構によって、フィルムパック蓋２０がロックされ、フィルムパックが遮光状態で密閉される。
【００３５】
プリンタ１０の一方の側部には、ＵＳＢ（Universal Serial Bus）ケーブルの接続部（不図示）を開閉するＵＳＢケーブル接続部カバー２４が備えられる。プリンタ１０は、このＵＳＢケーブル接続部カバー２４を開けることで露出するＵＳＢケーブルの接続部を介して内蔵するバッテリが充電される。
【００３６】
［プリンタのプリント部の構成］
図４は、プリンタのプリント部の概略構成を示す断面図である。なお、同図は、プリンタを横置きした状態を示している。
【００３７】
同図に示すように、プリンタ本体１４は、その内部にフィルムパック装填室３０、フィルムパック装填室３０に装填されたフィルムパックからインスタントフィルム１２を送り出すフィルム送出機構３２、フィルムパックから送り出されたインスタントフィルム１２を搬送するフィルム搬送機構３４、インスタントフィルム１２に画像を記録するプリントヘッド３６等を備える。フィルム送出機構３２、フィルム搬送機構３４及びプリントヘッド３６は、プリンタ１０のプリント部を構成する。
【００３８】
フィルムパック装填室３０は、フィルムパック４０が嵌まる凹部として構成され、フィルムパック蓋２０によって開閉される。
【００３９】
図５は、フィルムパックの斜視図である。また、図６は、インスタントフィルムの正面図であり、図７は、インスタントフィルムの背面図である。なお、図５から図７において、矢印Ｆで示す方向は、インスタントフィルム１２の送り方向である。インスタントフィルム１２は、矢印Ｆで示す方向に送られてケース４２から排出される。
【００４０】
インスタントフィルム１２は、矩形のカード形状を有する。インスタントフィルム１２は、一方側の面が露光面（露光により像を記録する面）１２ａ、他方側の面が観察面（記録された像を観察する面）１２ｂとして構成される。
【００４１】
図７に示すように、インスタントフィルム１２の露光面１２ａには、露光領域１２ｃ、ポッド部１２ｄ、及び、トラップ部１２ｆが備えられる。露光領域１２ｃは、露光により画像を記録する領域である。露光領域１２ｃが、インスタントフィルム１２のプリント可能領域となる。露光領域１２ｃを挟んで、ポッド部１２ｄとトラップ部１２ｆとが送り方向Ｆの前後に配置される。ポッド部１２ｄは、露光領域１２ｃに対して送り方向Ｆの前側に配置される。ポッド部１２ｄには、現像処理液を内包した現像処理液ポッド１２ｅが内蔵される。トラップ部１２ｆは、露光領域１２ｃに対して送り方向Ｆの後側に配置される。トラップ部１２ｆには、吸収材１２ｇが内蔵される。
【００４２】
図６に示すように、インスタントフィルム１２の観察面１２ｂには、観察領域１２ｈが備えられる。観察領域１２ｈは、画像が表示される領域である。露光領域１２ｃを現像処理することにより、観察領域１２ｈに画像が表示される。観察領域１２ｈは、露光領域１２ｃに対応して配置される。観察領域１２ｈの周囲には、枠１２ｉが備えられる。したがって、画像は枠内に表示される。また、観察領域１２ｈは、露光領域１２ｃよりも若干狭く設定される（一回り小さく設定される。）。したがって、露光領域１２ｃの全域に画像を記録した場合、周囲がトリミングされた画像がプリントされる。
【００４３】
なお、インスタントフィルム１２は、トラップ部１２ｆが上、ポッド部１２ｄが下となる向きで観賞する。したがって、画像は、トラップ部１２ｆが上、ポッド部１２ｄが下となる向きでプリントされる。
【００４４】
インスタントフィルム１２は、露光後、ポッド部１２ｄの現像処理液を露光領域１２ｃに展開させることにより現像処理される。ポッド部１２ｄの現像処理液は、インスタントフィルム１２を展開ローラ対３４Ｂの間に通すことで、ポッド部１２ｄから絞り出され、露光領域１２ｃに展開される。展開処理時に余った現像処理液が、トラップ部１２ｆで捕捉される。
【００４５】
ケース４２は、矩形の箱形状を有する。ケース４２は、正面部分に矩形状の露光用開口４２ａを有する。また、ケース４２は、天面部分にスリット状のフィルム排出口４２ｂを有する。インスタントフィルム１２は、露光面１２ａをケース４２の正面側（露光用開口４２ａ側）に向け、かつ、ポッド部１２ｄをケース４２の天面側（フィルム排出口４２ｂ側）に向けて、ケース内に重ねて収容される。また、ケース４２は、底面部分にスリット状のクロー開口部４２ｃを有する。ケース４２に収容されたインスタントフィルム１２は、このクロー開口部４２ｃからクロー３２ａを進入させることにより、１枚ずつフィルム排出口４２ｂに向けて送られ、フィルム排出口４２ｂから排出される。
【００４６】
１つのフィルムパック４０には、複数枚（たとえば１０枚）のインスタントフィルム１２が積層されて収容される。
【００４７】
フィルム送出機構３２は、フィルムパック装填室３０に装填されたフィルムパック４０からインスタントフィルム１２を１枚ずつ送り出す。フィルム送出機構３２は、インスタントフィルム１２の送り方向に沿って前後移動するクロー３２ａを備える。フィルム送出機構３２は、そのクロー３２ａによってケース内のインスタントフィルム１２を１枚ずつ掻き出して、インスタントフィルム１２をフィルムパック４０から送り出す。
【００４８】
フィルム搬送機構３４は、フィルム送出機構３２によってフィルムパック４０から送り出されたインスタントフィルム１２を一定速度で搬送する。フィルム搬送機構３４は、搬送ローラ対３４Ａ及び展開ローラ対３４Ｂを備える。搬送ローラ対３４Ａは、図示しないモータに駆動されて回転し、インスタントフィルム１２の両サイドを挟持して搬送する。展開ローラ対３４Ｂは、図示しないモータに駆動されて回転し、インスタントフィルム１２の全体を挟持して搬送する。インスタントフィルム１２は、展開ローラ対３４Ｂによって搬送される過程でポッド部１２ｄが押し潰されて、現像処理される。
【００４９】
プリントヘッド３６は、フィルムパック４０から送り出されたインスタントフィルム１２に画像を記録する。プリントヘッド３６は、ライン型の露光ヘッドで構成される。プリントヘッド３６は、フィルム搬送機構３４によって搬送されるインスタントフィルム１２の露光面１２ａに１ラインずつプリント光を照射し、シングルパスでインスタントフィルム１２に画像を記録する。
【００５０】
［プリンタの電気的構成］
図８は、プリンタの電気的構成を示すブロック図である。
【００５１】
同図に示すように、プリンタ１０は、電源ボタン１６の操作を検出する操作検出部５０、電源ボタン１６を発光させる光源部５２、光源部５２の発光を制御する光源制御部５４、アンテナ５６Ａを介して携帯端末と無線で通信する無線通信部５６、電源部５８、電源部５８からの電源供給及び電源部５８への充電を制御する電源制御部６０、プリンタ内蔵メモリ６２、プリンタ内蔵メモリ６２にデータを読み書きするメモリ制御部６４、プリンタ１０の動きを検出する動き検出部６６、フィルム送出機構３２を駆動するフィルム送出機構駆動部６８、フィルム搬送機構３４を駆動するフィルム搬送機構駆動部７０、プリントヘッド３６を駆動するプリントヘッド制御部７２及びプリンタマイコン８０等を備える。
【００５２】
操作検出部５０は、電源ボタン１６の操作を検出する。電源ボタン１６は、押しボタンで構成され、長押しでプリンタ１０の電源がオン及びオフされる。電源がオンされている間、電源ボタン１６には、リプリントの指示を入力する機能が割り当てられる。リプリントとは、最後にプリントした画像を再度プリントする機能である。操作検出部５０は、プリンタ１０の電源がオンされている間、電源ボタン１６の短押し（押して直ぐ離す操作）を検出して、その検出信号をプリンタマイコン８０に出力する。
【００５３】
光源部５２は、発光色の切り換えが可能に構成される。本実施の形態のプリンタ１０では、光源部５２がＲ（red；赤）、Ｇ（green；緑）及びＢ（blue；青）の三色の素子を備えた三色ＬＥＤ（フルカラーＬＥＤともいう）で構成される。三色ＬＥＤは、Ｒ、Ｇ及びＢの三色の混合比を選択することによって、その発光色を切り換えられる。
【００５４】
光源部５２は、電源ボタン１６の内側に配置される（図４参照）。電源ボタン１６は、全体又は一部が透明又は半透明で構成される。電源ボタン１６は、光源部５２を発光させると、その透明部分又は半透明部分から光が透過して、発光する。
【００５５】
光源制御部５４は、プリンタマイコン８０からの指令に応じて、光源部５２を所定の発光色及び発光パターンで発光させる。
【００５６】
無線通信部５６は、プリンタマイコン８０による制御の下、アンテナ５６Ａを介して携帯端末と無線で通信する。上記のように、携帯端末１００との間の通信は、近距離無線通信で行われる。
【００５７】
電源部５８は、バッテリ及び電源回路を含み、プリンタ１０の各部に電源を供給する。バッテリは、充電が可能な二次電池で構成され、外部から電源の供給を受けて充電される。
【００５８】
電源制御部６０は、プリンタマイコン８０による制御の下、電源部５８から各部への電源の供給及び電源部５８のバッテリへの充電を制御する。
【００５９】
プリンタ内蔵メモリ６２は、プリンタ１０の記憶部を構成し、プリントした画像データ及びプリンタ１０の設定データ等が記憶される。プリンタ内蔵メモリ６２は、たとえば、ＥＥＰＲＯＭ（Electrically Erasable Programmable Read-only Memory）等の不揮発性メモリで構成される。
【００６０】
メモリ制御部６４は、プリンタマイコン８０からの指令に応じて、プリンタ内蔵メモリ６２にデータを読み書きする。
【００６１】
動き検出部６６は、プリンタ１０の動きを検出する。動き検出部６６は、たとえば、モーションセンサで構成される。モーションセンサ自体は公知であるので、その詳細についての説明は省略する。一般にモーションセンサは、加速度センサ及びジャイロセンサ等を組み合わせて構成される。動き検出部６６によって、プリンタ１０の姿勢（縦置き、横置き、傾き等）、プリンタ１０の移動（持ち上げる、下に置く、引っくり返す等）が検出される。
【００６２】
フィルム送出機構駆動部６８は、フィルム送出機構３２のクロー３２ａを駆動するモータ、及び、その駆動回路を含み、プリンタマイコン８０からの指令に応じて、フィルム送出機構３２を駆動する。
【００６３】
フィルム搬送機構駆動部７０は、フィルム搬送機構３４の搬送ローラ対３４Ａを駆動するモータ及びその駆動回路、並びに、展開ローラ対３４Ｂを駆動するモータ及びその駆動回路を含み、プリンタマイコン８０からの指令に応じて、フィルム搬送機構３４を駆動する。
【００６４】
プリントヘッド制御部７２は、プリントヘッド３６の制御回路を含み、プリンタマイコン８０からの指令に応じて、プリントヘッド３６を動作させる。
【００６５】
プリンタマイコン８０は、プリンタ１０の動作を統括制御する制御部である。プリンタマイコン８０は、ＣＰＵ（Central Processing Unit）、ＲＯＭ（Read Only Memory）及びＲＡＭ（Random Access Memory）を備えたマイクロコンピュータで構成され、所定の制御プログラムを実行することにより、種々の機能を実現する。
【００６６】
図９は、プリンタマイコンが実現する主な機能のブロック図である。
【００６７】
プリンタマイコン８０は、主として、画像取得部８０Ａ、プリントデータ生成部８０Ｂ、プリント制御部８０Ｃ、代表色検出部８０Ｄ及び発光制御部８０Ｅ等として機能する。
【００６８】
画像取得部８０Ａは、無線通信部５６を介して、携帯端末１００と無線で通信し、携帯端末１００からプリントする画像の画像データを取得する。リプリントする場合は、最後にプリントした画像の画像データをプリンタ内蔵メモリ６２から読み出して取得する。
【００６９】
プリントデータ生成部８０Ｂは、画像取得部８０Ａで取得した画像データをプリント部でプリント可能なデータ形式（プリントヘッド３６によってインスタントフィルム１２にプリント可能なデータ形式）に変換して、プリント用のデータ（プリントデータ）を生成する。
【００７０】
プリント制御部８０Ｃは、フィルム送出機構駆動部６８を介して、フィルム送出機構３２によるインスタントフィルム１２の送り出しを制御する。また、フィルム搬送機構駆動部７０を介して、フィルム搬送機構３４によるインスタントフィルム１２の搬送を制御する。更に、プリントヘッド制御部７２を介して、プリントヘッド３６の駆動を制御する。プリントヘッド３６は、プリントデータ生成部８０Ｂで生成されたプリントデータに基づいて、インスタントフィルム１２の搬送に同期して駆動が制御される。
【００７１】
代表色検出部８０Ｄは、プリントする画像の代表色を検出する。プリントする画像の代表色とは、プリントする画像において中心的に用いられている色のことである。代表色検出部８０Ｄは、たとえば、プリントする画像全体の色分布を求め、最も広い面積を占める色を代表色として検出する。たとえば、画面全体がオレンジ色に染まった夕焼けの画像については、オレンジ色が代表色として検出される。また、たとえば、草原の画像については、グリーンが代表色として検出される。なお、代表色検出部８０Ｄは、光源部５２において再現可能な色域の範囲で代表色を検出する。また、代表色については、プリントする画像の一部から求めてもよいし、プリントする画像を複数の領域に分割して求めてもよい。一部の領域から求める場合は、たとえば、画像の中央に検出領域を設定し、当該検出領域から代表色を検出する。また、画像を複数の領域に分割して求める場合は、たとえば、プリントする画像を上下方向に複数の領域に等分割（たとえば、三等分割）し、各領域から代表色を検出する。
【００７２】
発光制御部８０Ｅは、光源制御部５４を介して、光源部５２の発光を制御し、発光部である電源ボタン１６を所定の色及びパターンで発光させる。発光制御部８０Ｅは、あらかじめ定められたタイミングで電源ボタン１６を発光させる。具体的には、携帯端末１００からプリントする画像を受信する場合、及び、画像をプリントする場合に電源ボタン１６を発光させる。携帯端末１００からプリントする画像を受信する場合は、あらかじめ定められた複数の色を一定の時間間隔で順番に切り換えて発光させる。たとえば、赤色、オレンジ色、黄色、緑色、水色、青色及び紫色の７色（いわゆる虹色）を一定の時間間隔で順番に切り換えて発光させる。発光は、画像を受信している間、継続して行われる。一方、画像をプリントする場合は、代表色検出部８０Ｄで検出された代表色を発光させる。発光は、画像をプリントしている間、継続して行われる。なお、画像を複数の領域に分割して代表色を求めた場合は、求めた代表色を順番に切り換えて発光させる。たとえば、プリントする画像を上下方向に三等分割して各領域から代表色を検出した場合、各領域で検出された代表色を上から順番に一定の時間間隔で発光させる。黒及びグレー等の無彩色が代表色として検出された場合は、特定の色で代替して発光させる。あるいは、特定の発光パターンで発光させる（たとえば、赤色、オレンジ色、黄色、緑色、水色、青色及び紫色の７色（いわゆる虹色）を一定の時間間隔で順番に切り換えて発光させる。あるいは、特定の色を点滅させる（たとえば、白を点滅させる。）。）。あるいは、発光を停止する。
【００７３】
［携帯端末］
図１０は、携帯端末のハードウェア構成の一例を示すブロック図である。なお、同図は、携帯端末１００が、スマートフォンで構成される場合の例を示している。
【００７４】
同図に示すように、携帯端末（スマートフォン）１００は、全体の動作を制御するＣＰＵ１０１、基本入出力プログラム等を記憶したＲＯＭ１０２、ＣＰＵ１０１のワークエリアとして使用されるＲＡＭ１０３、内蔵メモリ１０４、ディスプレイ１０５、ディスプレイ画面へのタッチ操作（位置入力）を検出するタッチパッド１０６、ＧＰＳ（Global Positioning Systems）衛星又は屋内ＧＰＳとしてのＩＭＥＳ（Indoor MEssaging System）によって携帯端末１００の位置情報（緯度、経度及び高度）を含んだＧＰＳ信号を受信するＧＰＳ受信部１０７、撮影レンズ及びイメージセンサを含み、画像を電子的に撮影するインカメラ部１０８Ａ（ディスプレイ側に備えられるカメラ部）及びアウトカメラ部１０８Ｂ（ディスプレイと反対側の面（背面）に備えられるカメラ部）、マイクロフォンを含み、音声を入力するマイク部１０９、スピーカを含み、音声を出力するスピーカ部１１０、アンテナ１１１Ａを利用して最寄りの基地局等と無線で通信する無線通信部１１１、アンテナ１１２Ａを利用して外部機器（たとえば、プリンタ１０等）と近距離無線で通信する近距離無線通信部１１２、地磁気センサ、ジャイロコンパス、加速度センサ等の各種センサを含むセンサ部１１３、メモリカード１１５へのデータの読み書きを行うメディアドライブ１１４等を備える。内蔵メモリ１０４は、ＥＥＰＲＯＭ等の不揮発性メモリで構成される。内蔵メモリ１０４には、オペレーティングシステムを含む各種プログラム（たとえば、表示制御プログラム等）の他、インカメラ部１０８Ａ及びアウトカメラ部１０８Ｂで撮影した画像の画像データ及び他の機器から取得した画像データ等の各種データが記憶される。ディスプレイ１０５及びタッチパッド１０６は、タッチパネル１２０を構成する。近距離無線通信部１１２は、プリンタ１０と通信する通信部の一例である。
【００７５】
タッチパネル１２０の画面は長方形状である。携帯端末１００は、タッチパネル１２０の画面が縦になる向き（画面の長手方向が鉛直方向に沿う向き）を通常の使用形態とする。本実施の形態の携帯端末１００では、タッチパネル１２０の画面長手方向を縦方向（図中Ｙ方向）とし、縦方向と直交する方向（図中Ｘ方向）、すなわち、画面の短辺の方向を幅方向とする。
【００７６】
携帯端末１００は、プリンタ１０との関係において、インカメラ部１０８Ａ又はアウトカメラ部１０８Ｂで撮影した画像をプリンタ１０にプリントさせる機能、内蔵メモリ１０４に記録されている画像をプリンタ１０にプリントさせる機能、及び、プリンタ１０の状態（たとえば、バッテリ残量及びプリント可能枚数（フィルム残数）等）を確認する機能等を有する。また、画像のプリントに関連して、プリントする画像を編集する機能を有する。
【００７７】
図１１は、画像のプリントに関して携帯端末が有する主な機能のブロック図である。
【００７８】
同図に示すように、携帯端末１００は、画像のプリントに関して、タッチパネル１２０の表示を制御する表示制御部１００Ａ、タッチパネル１２０への入力を制御する入力制御部１００Ｂ、プリントする画像の撮影を制御する撮影制御部１００Ｃ、プリントする画像の再生を制御する再生制御部１００Ｄ、プリントする画像を加工編集する画像処理部１００Ｅ、及び、プリンタ１０との間の通信を制御する通信制御部１００Ｆ等の機能を有する。
【００７９】
表示制御部１００Ａは、タッチパネル１２０の画面の表示を制御して、画像をプリントする際の操作画面をタッチパネル１２０に表示させる。表示制御部１００Ａは、表示部であるディスプレイ１０５の表示を制御して、タッチパネル１２０の画面の表示を制御する。後述する操作画面の表示は、この表示制御部１００Ａによって制御される。
【００８０】
入力制御部１００Ｂは、タッチパネル１２０への操作入力を制御して、画像をプリントする際の操作の入力を制御する。入力制御部１００Ｂは、タッチパネル１２０の位置入力部であるタッチパッド１０６の入力を制御して、タッチパネル１２０への操作入力を制御する。
【００８１】
撮影制御部１００Ｃは、タッチパネル１２０への操作入力に基づいて、インカメラ部１０８Ａ及びアウトカメラ部１０８Ｂを制御し、プリントする画像の撮影を制御する。
【００８２】
再生制御部１００Ｄは、タッチパネル１２０への操作入力に基づいて、内蔵メモリ１０４へのアクセスを制御し、プリントする画像の再生を制御する。
【００８３】
画像処理部１００Ｅは、タッチパネル１２０への操作入力に基づいて、プリントする画像を加工編集する。たとえば、画像の拡大（トリミング）、画像の回転、フィルター加工、テンプレート合成及びコラージュなどの画像処理を行って、プリントする画像を加工編集する。なお、フィルター加工とは、画像の色調を変化させたり、画像を変形させたりする機能をいう。たとえば、色調補正、ノイズ除去、モザイク処理及びエンボスなどである。テンプレート合成とは、画像にテンプレート画像を合成して合成画像を生成する処理のことである。また、ここでのコラージュとは、内部が複数の領域に分割されたフレーム（分割フレーム）の各領域に画像を当てはめて一枚の合成画像を生成する処理のことである。生成される合成画像をコラージュ画像と呼ぶ。
【００８４】
通信制御部１００Ｆは、タッチパネル１２０への操作入力に基づいて、近距離無線通信部１１２を制御し、プリンタ１０との間の通信を制御する。携帯端末１００からプリンタ１０には、主として、プリントする画像及びそのプリント指令が送信される。一方、プリンタ１０から携帯端末１００には、主として、プリンタ１０の状態を示す情報（バッテリ残量及びプリント可能枚数（フィルム残数）の情報等）が送信される。通信制御部１００Ｆは、送信制御部の一例である。
【００８５】
これらの機能は、ＣＰＵ１０１が、所定のプログラム（表示制御プログラム等）を実行することによって実現される。
【００８６】
［操作画面］
次に、携帯端末１００で撮影した画像及び携帯端末１００に保存されている画像をプリンタ１０でプリントする場合の携帯端末１００の操作画面について説明する。
【００８７】
［トップ画面］
図１２は、トップ画面の一例を示す図である。
【００８８】
トップ画面（ホーム画面ともいう）２００は、メインメニューの画面である。トップ画面２００には、使用可能な機能のボタンがアイコンで表示される。すなわち、図、記号又は絵柄を組み合わせて表示される。具体的には、図１２に示すように、「シンプルプリント」の機能のボタンであるシンプルプリントボタンＭＢ１、「ムービープリント」の機能のボタンであるムービープリントボタンＭＢ２、「インスタントカメラ」の機能のボタンであるインスタントカメラボタンＭＢ３、「テンプレートプリント」の機能のボタンであるテンプレートプリントボタンＭＢ４、「コラージュプリント」の機能のボタンであるコラージュプリントボタンＭＢ５、「相性診断」の機能のボタンである相性診断ボタンＭＢ６、及び、「みんなでコラージュ」の機能のボタンであるみんなでコラージュボタンＭＢ７が表示される。各ボタンには、その下部にメニュータイトルが表示される。
【００８９】
シンプルプリントの機能とは、携帯端末１００に保存されている画像（静止画）をプリントする機能である。画面上でシンプルプリントボタンＭＢ１をタッチすると、当該機能が起動する。
【００９０】
ムービープリントの機能とは、動画から１シーンを抽出してプリントする機能である。画面上でムービープリントボタンＭＢ２をタッチすると、当該機能が起動する。
【００９１】
インスタントカメラの機能とは、携帯端末１００のカメラ機能を使用して撮影し、撮影した画像をプリンタ１０でプリントする機能である。画面上でインスタントカメラボタンＭＢ３をタッチすると、当該機能が起動する。
【００９２】
テンプレートプリントの機能とは、画像にテンプレート画像を合成し、プリントする機能である。画面上でテンプレートプリントボタンＭＢ４をタッチすると、当該機能が起動する。
【００９３】
コラージュプリントの機能とは、コラージュ画像を生成してプリントする機能である。上記のようにコラージュ画像は、内部が複数の領域に分割されたフレーム（分割フレーム）の各領域に画像を当てはめて生成される。分割の態様が、規則的なもの（たとえば、上下二等分割、左右二等分割、上下三等分割、左右三等分割、四等分割、九等分割等）と、不規則なものとがある。分割が規則的なものは、特に分割プリントとも称される。画面上でコラージュプリントボタンＭＢ５をタッチすると、当該機能が起動する。
【００９４】
相性診断の機能とは、画像から相性診断を行う機能である。たとえば、学習済みモデルを利用して画像を解析し、画像に写されている人物（二人）の相性を診断する。画面上で相性診断ボタンＭＢ６をタッチすると、当該機能が起動する。
【００９５】
みんなでコラージュの機能は、複数人で共同してコラージュ画像を生成し、プリントする機能である。みんなでコラージュボタンＭＢ７を画面上でタッチすると、当該機能が起動する。
【００９６】
図１２に示すように、トップ画面２００において、各機能のボタンは、２つのグループ（第１グループＭＧ１及び第２グループＭＧ２）にグループ分けされて表示される。
【００９７】
第１グループＭＧ１は、シンプルプリント、ムービープリント及びインスタントカメラの各機能のボタンが属するグループである。第１グループＭＧ１は、単純なプリントを主目的とした機能のグループである。このグループを「Ｐｒｉｎｔ  Ｍｏｄｅ」のグループと称する。
【００９８】
第２グループＭＧ２は、テンプレートプリント、コラージュプリント、相性診断及びみんなでコラージュの各機能のボタンが属するグループである。第２グループＭＧ２は、加工編集等を要する高度なプリントを主目的とした機能のグループである。このグループを「Ｆｕｎ  Ｍｏｄｅ」のグループと称する。
【００９９】
第１グループＭＧ１に属するボタン（シンプルプリントボタンＭＢ１、ムービープリントボタンＭＢ２及びインスタントカメラボタンＭＢ３）は、第１グループ表示領域ＭＡ１に表示され、第２グループＭＧ２に属するボタン（テンプレートプリントボタンＭＢ４、コラージュプリントボタンＭＢ５、相性診断ボタンＭＢ６及びみんなでコラージュボタンＭＢ７）は、第２グループ表示領域ＭＡ２に表示される。第１グループ表示領域ＭＡ１は、トップ画面２００の画面右端に設定され、第２グループ表示領域ＭＡ２は、画面下部に設定される。
【０１００】
トップ画面２００には、更に、設定ボタンＳＥＢが表示される。設定ボタンＳＥＢは、各種設定を行う画面（設定画面）を呼び出すボタンである。設定ボタンＳＥＢは、画面右上に表示される。
【０１０１】
また、プリンタ１０が接続されている場合（通信が確立している場合）、トップ画面２００には、接続されたプリンタ１０の情報が表示される。プリンタ１０の情報は、プリンタ情報表示領域ＭＡ３に表示される。プリンタ情報表示領域ＭＡ３は、画面上部に設定される。プリンタ情報表示領域ＭＡ３には、接続されているプリンタ１０の名称（たとえば、機種名）、プリント可能枚数（フィルム残数）及びバッテリ残量の情報が表示される。これらの情報は、プリンタ１０との通信が確立した際にプリンタ１０から取得する。
【０１０２】
（Ａ）シンプルプリントの機能を使用したプリント操作
ここでは、シンプルプリントの機能を使用して、画像をプリントする場合の操作画面の構成について説明する。
【０１０３】
上記のように、シンプルプリントの機能は、携帯端末１００に保存されている画像をプリントする機能である。その大まかな操作手順は、（１）プリントする画像の選択、（２）プリントの指示である。必要に応じて、画像の加工編集が行われる。
【０１０４】
［画像選択画面］
トップ画面２００において、シンプルプリントボタンＭＢ１をタッチすると、シンプルプリントの機能が起動する。
【０１０５】
シンプルプリントの機能が起動すると、タッチパネル１２０の画面が、画像選択画面２０１に切り換わる。この画面は、プリントする画像を選択する画面である。
【０１０６】
図１３は、画像選択画面の一例を示す図である。
【０１０７】
図１３に示すように、画像選択画面２０１では、携帯端末１００に保存されている画像がサムネイル形式で一覧表示される。すなわち、画像を縮小した形式で一覧表示される。
ユーザは、プリントする画像のサムネイル画像を画面上でタッチして、プリントする画像を選択する。
【０１０８】
なお、図１３では、携帯端末１００に保存されているすべての画像を一覧表示する場合の例を示している。この他、指定されたフォルダ内の画像のみを表示する形式としてもよい。
【０１０９】
また、画像選択画面２０１には、図１３に示すように、キャンセルボタン２０１Ａが表示される。キャンセルボタン２０１Ａは、画像選択処理のキャンセルを指示するボタンである。キャンセルボタン２０１Ａがタッチされると、シンプルプリントの機能は終了する。この場合、画面の表示が、トップ画面２００に切り換わる。
【０１１０】
［プリント画像確認画面］
プリントする画像が選択されると、タッチパネル１２０の画面が、プリント画像確認画面２０２に切り換わる。この画面は、プリントする画像（プリント画像）を確認するための画面である。
【０１１１】
図１４は、プリント画像確認画面の一例を示す図である。
【０１１２】
図１４に示すように、プリント画像確認画面２０２には、プリント画像ＰＩ、そのプリント画像ＰＩのプリントを指示するプリントボタンＰＢ、及び、画像編集のメニューボタン等が表示される。
【０１１３】
プリント画像ＰＩは、画面内に設定された画像表示領域ＥＡ１に表示される。画像表示領域ＥＡ１は、プリント画像確認画面２０２の幅方向（図１４においてＸ方向）の中心を通る直線を中心線Ｌとすると、その中心線Ｌ上に設定される。図１４に示す例では、中心線Ｌ上において、ほぼ中央位置に設定した場合の例を示している。中心線Ｌの方向は、画面の長手方向（縦方向、図１４においてＹ方向）に沿う方向である。
【０１１４】
画像表示領域ＥＡ１の周囲には、画像表示領域ＥＡ１に表示された画像（プリント画像ＰＩ）を囲う枠ＦＬが表示される。この枠ＦＬは、プリントした結果物（プリント物）と同じ余白で構成される。すなわち、インスタントフィルム１２と同じ余白で構成される（インスタントフィルム１２の観察領域１２ｈの周囲に備えられる枠１２ｉと同じ比率で構成される。）。これにより、最終的なプリント結果を画面上で確認しやすくできる。
【０１１５】
プリントボタンＰＢ及び画像編集のメニューボタン（拡大＆回転ボタンＥＢ１、フィルターボタンＥＢ２、画質補正ボタンＥＢ３）は、ボタン表示領域ＥＡ２に表示される。ボタン表示領域ＥＡ２は、画面の下部に設定される。プリントボタンＰＢ及び画像編集のメニューボタン（拡大＆回転ボタンＥＢ１、フィルターボタンＥＢ２、画質補正ボタンＥＢ３）は、このボタン表示領域ＥＡ２において、画面の幅方向（図１４においてＸ方向）に沿って一列に並べて表示される。この際、プリントボタンＰＢが中心線Ｌ上に配置され、その両側に３つ画像編集のメニューボタン（拡大＆回転ボタンＥＢ１、フィルターボタンＥＢ２、画質補正ボタンＥＢ３）が配置されて表示される。より具体的には、拡大＆回転ボタンＥＢ１がプリントボタンＰＢの左隣に配置され、フィルターボタンＥＢ２及び画質補正ボタンＥＢ３が、プリントボタンＰＢの右隣に配置される。
【０１１６】
プリントボタンＰＢ及び画像編集のメニューボタン（拡大＆回転ボタンＥＢ１、フィルターボタンＥＢ２、画質補正ボタンＥＢ３）は、それぞれアイコンで表示される。また、中央のプリントボタンＰＢについては、他のボタン（拡大＆回転ボタンＥＢ１、フィルターボタンＥＢ２、画質補正ボタンＥＢ３）よりも大きなサイズで構成される（ボタンを構成する画像部分のサイズが大きいサイズで構成される。）。更に、本実施の形態では、プリントボタンＰＢの色を他のボタンと異なる色で構成している。具体的には、他のボタンは白色で構成しているのに対して、プリントボタンＰＢは赤色で構成している。これにより、プリントの指示操作を分かりやすくできる。なお、他のボタンは、選択（タッチ）されると、色が変化する。これにより、選択された機能を明確にできる。
【０１１７】
画像編集のメニューボタン（拡大＆回転ボタンＥＢ１、フィルターボタンＥＢ２、画質補正ボタンＥＢ３）については、その下部にメニュータイトルが表示される。なお、図１４では、画像編集のメニューとして、拡大及び回転の機能、フィルターの機能、及び、画質補正の機能が用意されている場合の例を示している。
【０１１８】
拡大及び回転の機能とは、画像を拡大及び回転させる機能である。拡大及び回転の機能は、拡大＆回転ボタンＥＢ１に割り当てられる。拡大＆回転ボタンＥＢ１を画面上でタッチすると、拡大及び回転の機能が起動し、プリント画像ＰＩに対する画像の拡大及び回転が可能になる。
【０１１９】
フィルターの機能とは、画像にフィルター加工を施す機能である。フィルターの機能のボタンは、フィルターボタンＥＢ２に割り当てられる。フィルターボタンＥＢ２を画面上でタッチすると、フィルターの機能が起動し、プリント画像ＰＩに対するフィルター加工が可能になる。
【０１２０】
画質補正の機能とは、画像の明るさ、コントラスト及び彩度を補正する機能である。画質補正の機能は、画質補正ボタンＥＢ３に割り当てられる。画質補正ボタンＥＢ３を画面上でタッチすると、画質補正の機能が起動し、プリント画像ＰＩに対して、画質補正（画像の明るさ、コントラスト及び彩度の補正）が可能になる。
【０１２１】
各機能は、対応する各ボタンを画面上でタッチするとオン（起動）され、再度タッチするとオフされる。また、一つの機能が起動中に他の機能のボタンがタッチされると、タッチされた機能に切り換わる。たとえば、フィルターの機能が起動中に画質補正ボタンＥＢ３がタッチされると、フィルターの機能は終了し、画質補正の機能がオンされる。
【０１２２】
図１４に示すように、プリント画像確認画面２０２には、バックボタンＢＢ及びトップボタンＴＢが表示される。バックボタンＢＢは、一つ前の画面に戻ることを指示するボタンである。トップボタンＴＢは、トップ画面２００に戻ることを指示するボタンである。バックボタンＢＢ及びトップボタンＴＢが、画面の上部に配置される。
【０１２３】
［拡大及び回転操作画面］
画面上で拡大＆回転ボタンＥＢ１がタッチされると、拡大及び回転の機能の操作画面、すなわち、画像の拡大操作及び回転操作を行う操作画面（拡大＆回転操作画面）２０３に切り換わる。
【０１２４】
図１５は、拡大及び回転操作画面の一例を示す図である。
【０１２５】
拡大及び回転操作画面２０３では、プリント画像確認画面２０２での表示内容に加えて、拡大操作用の拡大用スライドバーＳＢ１及び回転操作用の回転用スライドバーＳＢ２が表示される。
【０１２６】
拡大用スライドバーＳＢ１は、そのノブＮＢ１をスライドさせて操作する（ノブＮＢ１をタッチしてスライドさせる）。拡大用スライドバーＳＢ１を操作すると、その操作量に応じて、画像が拡大する。プリント画像ＰＩは、ノブＮＢ１を画面右方向にスライドさせると拡大し、左方向にスライドさせると縮小する。
【０１２７】
回転用スライドバーＳＢ２は、そのノブＮＢ２をスライドさせて操作する。回転用スライドバーＳＢ２を操作すると、その操作量に応じて画像が回転する。プリント画像ＰＩは、ノブＮＢ２を画面右方向にスライドさせると時計回りに回転し、左方向にスライドさせると反時計回りに回転する。ノブＮＢ２をバーの左端から右端までスライドさせると、画像が一回転する。
【０１２８】
拡大用スライドバーＳＢ１及び回転用スライドバーＳＢ２は、操作領域ＥＡ３に表示される。操作領域ＥＡ３は、中心線Ｌに沿う方向（Ｙ方向）において、画像表示領域ＥＡ１及びボタン表示領域ＥＡ２の間に設定される。図１５に示すように、拡大用スライドバーＳＢ１及び回転用スライドバーＳＢ２は、この領域に上下に並べて配置される。また、拡大用スライドバーＳＢ１及び回転用スライドバーＳＢ２は、共に円弧状に湾曲した形状で表示される。より具体的には、中心線Ｌ上に設定された点を中心とする円に沿って表示され、かつ、中心線Ｌを基準として左右対称に表示される。このように、円弧状に湾曲させて表示することにより、直線として表示させる場合に比べて、全体の長さを長くできる。これにより、操作の分解能を向上でき、より細かな操作が可能になる。このことは、画面の表示サイズが小さい場合に特に有効に作用する。
【０１２９】
［フィルター操作画面］
画面上でフィルターボタンＥＢ２がタッチされると、フィルターの機能の操作画面、すなわち、画像にフィルター加工を施す操作の操作画面（フィルター操作画面）２０４に切り換わる。
【０１３０】
図１６は、フィルター操作画面の一例を示す図である。
【０１３１】
フィルター操作画面２０４では、プリント画像確認画面２０２での表示内容に加えて、適用するフィルターの選択ボタンが表示される。図１６は、選択ボタンとして、４つのボタンを表示させた場合の例を示している。具体的には、ノーマルの状態に戻すノーマルボタンＦＢ１、モノクロフィルターを適用するモノクロボタンＦＢ２、セピアフィルターを適用するセピアボタンＦＢ３、及び、オートフィルターを適用するオートボタンＦＢ４を表示した場合の例を示している。
【０１３２】
ここで、モノクロフィルターとは、画像を白黒でモノクローム化するフィルターである。画面上でモノクロボタンＦＢ２がタッチされると、画像表示領域ＥＡ１に表示されているプリント画像ＰＩが白黒でモノクローム化される。
【０１３３】
セピアフィルターとは、画像の色調をセピア調にするフィルターである。画面上でセピアボタンＦＢ３がタッチされると、画像表示領域ＥＡ１に表示されているプリント画像ＰＩの色調がセピア調にされる。
【０１３４】
オートフィルターとは、画像の色調を自動で最適化するフィルターである。画面上でオートボタンＦＢ４がタッチされると、画像表示領域ＥＡ１に表示されているプリント画像ＰＩの色調が自動で補正される。
【０１３５】
画面でノーマルボタンＦＢ１がタッチされると、適用されたフィルターがキャンセルされ、オリジナルの状態に復帰する。
【０１３６】
フィルターの選択ボタン（ノーマルボタンＦＢ１、モノクロボタンＦＢ２、セピアボタンＦＢ３、オートボタンＦＢ４）は、画像表示領域ＥＡ１に表示されるプリント画像ＰＩの外形に対応した長方形状を有する。より具体的には、プリント画像ＰＩの外形と相似形状を有する（ほぼ相似と認められる形状を含む）。
【０１３７】
また、各ボタンには、適用されるフィルターと同じフィルター加工が施された共通の画像が表示される。たとえば、モノクロボタンＦＢ２を構成する画像には、白黒でもクローム化された画像が表示される。
【０１３８】
更に、各ボタンは、操作領域ＥＡ３に展開して表示され、中心線Ｌ上に設定された点を中心として放射状に表示される。このように、放射状に表示することにより、直線状に並べて表示させる場合に比べて、表示できるボタンの数、サイズを大きくできる。これにより、操作性を向上できる。なお、一画面に表示させるボタンの数は、円弧の曲率を調整することで調整できる。すなわち、同じボタンのサイズであれば、曲率を大きくするほど（湾曲を大きくするほど）、一度に表示できるボタンの増やすことができる。
【０１３９】
なお、フィルターの選択ボタン（ノーマルボタンＦＢ１、モノクロボタンＦＢ２、セピアボタンＦＢ３、オートボタンＦＢ４）は、画像編集用の操作ボタンの一例である。
【０１４０】
［画質補正操作画面］
画面上で画質補正ボタンＥＢ３がタッチされると、画質補正の機能の操作画面、すなわち、画像の明るさ、コントラスト及び彩度の補正操作を行う操作画面（画質補正操作画面）２０５に切り換わる。
【０１４１】
図１７は、画質補正操作画面の一例を示す図である。
【０１４２】
画質補正操作画面２０５では、プリント画像確認画面２０２での表示内容に加えて、画像の明るさを調整する明るさ調整用スライドバーＳＢ３、画像のコントラストを調整するコントラスト調整用スライドバーＳＢ４、画像の彩度を調整する彩度調整用スライドバーＳＢ５、及び、リセットボタンＲＳＢが表示される。
【０１４３】
明るさ調整用スライドバーＳＢ３は、そのノブＮＢ３をスライドさせて操作する。明るさ調整用スライドバーＳＢ３を操作すると、その操作量に応じて、画像の明るさが変化する。ノブＮＢ３は、デフォルトでバーの中央に位置する。プリント画像ＰＩは、ノブＮＢ３を画面右方向にスライドさせると、明るくなり、左方向にスライドさせると、暗くなる。
【０１４４】
コントラスト調整用スライドバーＳＢ４は、そのノブＮＢ４をスライドさせて操作する。コントラスト調整用スライドバーＳＢ４を操作すると、その操作量に応じて、画像のコントラストが変化する。ノブＮＢ４は、デフォルトでバーの中央に位置する。プリント画像ＰＩは、ノブＮＢ４を画面右方向にスライドさせると、コントラストが高くなり、左方向にスライドさせると、コントラストが低くなる。
【０１４５】
彩度調整用スライドバーＳＢ５は、そのノブＮＢ５をスライドさせて操作する。彩度調整用スライドバーＳＢ５を操作すると、その操作量に応じて、画像の彩度が変化する。ノブＮＢ５は、デフォルトでバーの中央に位置する。プリント画像ＰＩは、ノブＮＢ５を画面右方向にスライドさせると、彩度が高くなり、左方向にスライドさせると、彩度が低くなる。
【０１４６】
リセットボタンＲＳＢは、各スライドバー（明るさ調整用スライドバーＳＢ３、コントラスト調整用スライドバーＳＢ４及び彩度調整用スライドバーＳＢ５）の操作をリセットするボタンである。リセットボタンＲＳＢが、タッチされると、各スライドバーの操作がリセットされる。すなわち、各スライドバーのノブがデフォルトの位置（中央）に復帰する。
【０１４７】
各スライドバー（明るさ調整用スライドバーＳＢ３、コントラスト調整用スライドバーＳＢ４及び彩度調整用スライドバーＳＢ５）、及び、リセットボタンＲＳＢは、操作領域ＥＡ３に表示される。図１７に示すように、各スライドバーは、この領域に上下に並べて配置される。また、各スライドバーは、共に円弧状に湾曲した形状で表示される。より具体的には、中心線Ｌ上に設定された点を中心とする円に沿って表示され、かつ、中心線Ｌを基準として左右対称に表示される。これにより、操作の分解能を向上でき、より細かな操作が可能になる。リセットボタンＲＳＢは、操作領域Ｅ３の右端に配置される。
【０１４８】
［プリントを実行した場合の操作画面］
画面上でプリントボタンＰＢをタッチすると、画像表示領域ＥＡ１に表示されたプリント画像ＰＩのプリントが指示される。プリントが指示されると、プリンタ１０にプリント画像ＰＩの画像データが送信される。
【０１４９】
プリント画像ＰＩの送信が実行されると、画像送信のイメージが、アニメーションで表示される。具体的には、プリント画像ＰＩが枠ＦＬと共に移動し、画面の縁から消えてゆくイメージがアニメーションで表示される。
【０１５０】
図１８は、プリントを指示した場合のアニメーション表示の一例を示す図である。
【０１５１】
プリントを指示すると、時系列順に画面が、画面２０６Ａ、画面２０６Ｂ、画面２０６Ｃと変化する。同図に示すように、プリント画像ＰＩが、枠ＦＬと共に画面の長手方向に沿って上方に移動し、画面の上縁から消えてゆく（インスタントフィルムが送られる映像を模したもの）。これにより、画像がプリンタに送信されたことを認識しやすくできる。
【０１５２】
（Ｂ）テンプレートプリントの機能を使用したプリント操作
ここでは、テンプレートプリントの機能を使用して、画像をプリントする場合の操作画面の構成について説明する。
【０１５３】
上記のように、テンプレートプリントは、画像にテンプレート画像を合成して合成画像を生成し、プリントする機能である。合成する画像は、携帯端末１００に保存されている画像が使用される。テンプレートプリントの大まかな操作手順は、（１）テンプレートの選択、（２）プリントする画像の選択、（３）プリントの指示である。必要に応じて、画像の加工編集が行われる。
【０１５４】
［テンプレート選択画面］
トップ画面２００において、テンプレートプリントボタンＭＢ４をタッチすると、テンプレートプリントの機能が起動する。テンプレートプリントの機能が起動すると、タッチパネル１２０の画面が、テンプレート選択画面２１０に切り換わる。この画面は、プリントする画像に合成するテンプレート画像を選択する画面である。
【０１５５】
図１９は、テンプレートプリント選択画面の一例を示す図である。
【０１５６】
同図に示すように、テンプレート選択画面２１０では、使用可能なテンプレート画像が、サムネイル形式で一覧表示される。ユーザは、使用を希望する絵柄のテンプレート画像を画面上でタッチして、使用するテンプレート画像を選択する。
【０１５７】
［画像選択画面］
テンプレート選択画面２１０において、使用するテンプレート画像が選択されると、タッチパネル１２０の画面が、画像選択画面２０１に切り換わる（図１３参照）。ユーザは、この画面でプリントする画像を選択する。
【０１５８】
［プリント画像確認画面］
プリントする画像が選択されると、タッチパネル１２０の画面が、プリント画像確認画面２０２に切り換わる。この画面は、プリントする画像（プリント画像）を確認するための画面である。
【０１５９】
図２０は、テンプレートプリントでのプリント画像確認画面の一例を示す図である。
【０１６０】
画像編集のメニューボタンとして、テンプレートボタンＥＢ４が追加されている点以外は、シンプルプリントのプリント画像確認画面２０２の画面構成と同じである。テンプレートボタンＥＢ４は、テンプレート画像を切り換える機能を呼び出すボタンである。テンプレートボタンＥＢ４は、テンプレート画像を変更する場合に使用される。
【０１６１】
シンプルプリントのプリント画像確認画面２０２と同様に、プリントボタンＰＢ及び画像編集のメニューボタン（拡大＆回転ボタンＥＢ１、フィルターボタンＥＢ２、画質補正ボタンＥＢ３、テンプレートボタンＥＢ４）は、ボタン表示領域ＥＡ２に表示され、画面の幅方向（Ｘ方向）に沿って一列に並べて表示される。この際、プリントボタンＰＢが中心線Ｌ上に配置され、その両側に画像編集のメニューボタン（拡大＆回転ボタンＥＢ１、フィルターボタンＥＢ２、画質補正ボタンＥＢ３及びテンプレートボタンＥＢ４）が配置される。シンプルプリントのプリント画像確認画面２０２と異なり、画像編集のメニューボタンは、プリントボタンＰＢを中心として左右対称に配置される。具体的には、拡大＆回転ボタンＥＢ１及びテンプレートボタンＥＢ４がプリントボタンＰＢの左隣に一定の間隔で配置され、フィルターボタンＥＢ２及び画質補正ボタンＥＢ３が、プリントボタンＰＢの右隣に一定の間隔で配置される。中央のプリントボタンＰＢが、他のボタン（拡大＆回転ボタンＥＢ１、フィルターボタンＥＢ２、画質補正ボタンＥＢ３及びテンプレートボタンＥＢ４）よりも大きなサイズで構成される点は、シンプルプリントの場合と同様である。
【０１６２】
［テンプレート切り換え操作画面］
拡大及び回転の機能、フィルターの機能及び画質補正の機能は、シンプルプリントの場合と同じなので、ここでは、テンプレート画像の切り換え機能について説明する。
【０１６３】
テンプレートボタンＥＢ４がタッチされると、テンプレート画像の切り換え操作を行う操作画面（テンプレート切り換え操作画面）２１２に切り換わる。
【０１６４】
図２１は、テンプレート切り換え操作画面の一例を示す図である。
【０１６５】
テンプレート切り換え操作画面２１２では、プリント画像確認画面２０２での表示内容に加えて、切り換え可能なテンプレート画像の選択ボタンＴＢ１、ＴＢ２、…が表示される。ユーザは、切り換えを希望するテンプレート画像の選択ボタンを画面上でタッチして選択する。選択ボタンＴＢ１、ＴＢ２、…は、画像編集の操作ボタンの一例である。
【０１６６】
各ボタンは、そのボタンによって選択されるテンプレート画像を縮小した画像で構成される。したがって、その外形は、プリント画像ＰＩの外形と相似形状を有する（ほぼ相似と認められる形状を含む）。
【０１６７】
テンプレート画像の選択ボタンＴＢ１、ＴＢ２、…は、フィルターの選択ボタンと同様に、操作領域ＥＡ３に展開表示され、中心線Ｌ上に設定された点を中心として放射状に表示される。
【０１６８】
なお、操作領域ＥＡ３には、一定数の選択ボタンＴＢ１、ＴＢ２、…が表示される。図２１は、一度に４つの選択ボタンを表示させる場合（ボタンの全体を表示できる数が４つの場合）の例を示している。その他の選択ボタンについては、スクロールさせて表示する。スクロールは、操作領域ＥＡ３に表示された選択ボタン上で画面をスワイプ操作又はフリック操作することによって行われる。ここで、スワイプ操作とは、画面に触れた状態で指を滑らせる操作のことである。フリック操作とは、スワイプをより勢いよく行い、画面を弾くようにして、指を滑らせつつ画面から離す操作のことである。
【０１６９】
図２２は、操作領域に表示される選択ボタンのスクロールの概念図である。
【０１７０】
同図に示すように、操作領域ＥＡ３に表示される選択ボタンＴＢ１、ＴＢ２、…は、画面を右方向にスワイプ操作又はフリック操作することにより、円弧に沿って右方向（矢印Ｒ＋方向）にスクロールする（時計回りにスクロールする。）。また、画面を左方向にスワイプ操作又はフリック操作することにより、円弧に沿って左方向（矢印Ｒ−方向）にスクロールする（反時計回りにスクロールする。）。
【０１７１】
［プリントを実行した場合の操作画面］
プリントの実行は、シンプルプリントの場合と同じである。すなわち、画面上でプリントボタンＰＢをタッチして、プリントを指示する。プリントが指示されると、プリンタ１０にプリント画像ＰＩの画像データが送信される。画像送信のイメージが、アニメーション表示される点もシンプルプリントの場合と同様である（図１８参照）。
【０１７２】
（Ｃ）コラージュプリントの機能を使用したプリント操作
ここでは、コラージュプリントの機能を使用して、画像をプリントする場合の操作画面の構成について説明する。
【０１７３】
上記のように、コラージュプリントの機能は、内部が複数の領域に分割されたフレーム（分割フレーム）の各領域に画像を当てはめて合成画像（コラージュ画像）を生成し、プリントする機能である。コラージュプリントの大まかな操作手順は、（１）分割フレームの選択、（２）合成する画像の選択、（３）プリントの指示である。必要に応じて、合成する画像の加工編集が行われる。
【０１７４】
［分割フレーム選択画面］
トップ画面２００において、コラージュプリントボタンＭＢ５をタッチすると、コラージュプリントの機能が起動する。コラージュプリントの機能が起動すると、タッチパネル１２０の画面が、分割フレーム選択画面２２０に切り換わる。この画面は、分割フレームを選択する画面である。
【０１７５】
図２３は、分割フレーム選択画面の一例を示す図である。
【０１７６】
同図に示すように、分割フレーム選択画面２２０では、選択可能な分割フレームの画像（フレーム内の分割の態様を示した画像）が、サムネイル形式で一覧表示される。ユーザは、使用を希望する分割パターンの分割フレームの画像を画面上でタッチして、使用する分割フレームを選択する。
【０１７７】
［コラージュ画像作成画面］
分割フレーム選択画面２２０において、使用する分割フレームが選択されると、タッチパネル１２０の画面が、コラージュ画像作成画面２２１に切り換わる。この画面は、コラージュ画像を作成する画面である。
【０１７８】
図２４は、コラージュ画像作成画面の一例を示す図である。
【０１７９】
選択した分割フレームに応じて画像表示領域ＥＡ１の内部が分割される点、分割の境界線の表示のオン及びオフを切り換える境界線ボタンＦＢＢが表示される点、及び、画像編集のメニューボタンとして、分割フレームボタンＥＢ５が追加されている点以外は、シンプルプリントのプリント画像確認画面２０２の画面構成と同じである。
【０１８０】
画像表示領域ＥＡ１は、その内部の領域が、選択した分割フレームに応じて分割される。境界線ボタンＦＢＢは、その分割の境界線ＦＢＬの表示をオン及びオフする。ユーザが、境界線ボタンＦＢＢを画面上でタッチするたびにオン及びオフが切り換わる。境界線ボタンＦＢＢをオンすると、画像表示領域ＥＡ１に境界線ＦＢＬが表示される。なお、図２４は、境界線ＦＢＬの表示をオンした場合を示している。境界線の表示をオンすると、プリントされる画像にも境界線が表示される。
【０１８１】
分割フレームボタンＥＢ５は、分割フレームを切り換える機能を呼び出すボタンである。分割フレームボタンＥＢ５は、分割フレームを変更する場合に使用される。
【０１８２】
シンプルプリントのプリント画像確認画面２０２と同様に、プリントボタンＰＢ及び画像編集のメニューボタン（拡大＆回転ボタンＥＢ１、フィルターボタンＥＢ２、画質補正ボタンＥＢ３及び分割フレームボタンＥＢ５）は、ボタン表示領域ＥＡ２に表示され、画面の幅方向（Ｘ方向）に沿って一列に並べて表示される。この際、プリントボタンＰＢが中心線Ｌ上に配置され、その両側に画像編集のメニューボタン（拡大＆回転ボタンＥＢ１、フィルターボタンＥＢ２、画質補正ボタンＥＢ３及び分割フレームボタンＥＢ５）が配置される。シンプルプリントのプリント画像確認画面２０２と異なり、画像編集のメニューボタンは、プリントボタンＰＢを中心として左右対称に配置される。具体的には、拡大＆回転ボタンＥＢ１及び分割フレームボタンＥＢ５がプリントボタンＰＢの左隣に一定の間隔で配置され、フィルターボタンＥＢ２及び画質補正ボタンＥＢ３が、プリントボタンＰＢの右隣に一定の間隔で配置される。中央のプリントボタンＰＢが、他のボタン（拡大＆回転ボタンＥＢ１、フィルターボタンＥＢ２、画質補正ボタンＥＢ３及び分割フレームボタンＥＢ５）よりも大きなサイズで構成される点は、シンプルプリントの場合と同様である。
【０１８３】
画像表示領域ＥＡ１において、画像を合成する領域をタッチすると、タッチパネル１２０の画面が画像選択画面に切り換わる（図１３参照）。ユーザは、この画面で合成する画像を選択する。画像を選択すると、再び、コラージュ画像作成画面２２１に復帰する。この際、選択した画像が、選択した領域に当てはめられて表示される。
【０１８４】
図２５は、画像選択後のコラージュ画像作成画面の一例を示す図である。
【０１８５】
同図は、フレーム内が上下二等分割された分割フレームにおいて、画面上側の領域を選択して、合成する画像を選択した場合の画面表示の一例を示している。同図に示すように、選択した画像が、選択した領域に当てはめられて表示される。
【０１８６】
選択した領域において、画像をタッチしながら指を移動させると、画像の位置調整が行われる。選択した画像を変更する場合は、画像を変更する領域をタッチして選択し、バックボタンＢＢをタッチする。本操作により、画面が画像選択画面（図１３参照）に切り換わり、画像の選択が可能になる。なお、領域内で画面をフリック操作することによって、順番に画像が切り換わるようにしてもよい。
【０１８７】
分割フレームのすべての領域について、画像の選択を行い、コラージュ画像を完成させる。
【０１８８】
［分割フレーム切り換え操作画面］
選択した各領域の画像については、拡大及び回転の機能、フィルターの機能及び画質補正の機能を使用することで、個別に加工編集できる。拡大及び回転の機能、フィルターの機能及び画質補正の機能は、シンプルプリントの場合と同じである。ここでは、分割フレームの切り換え機能について説明する。
【０１８９】
分割フレームボタンＥＢ５がタッチされると、分割フレームの切り換え操作を行う操作画面（分割フレーム切り換え操作画面）２２２に切り換わる。
【０１９０】
図２６は、分割フレーム切り換え操作画面の一例を示す図である。
【０１９１】
分割フレーム切り換え操作画面２２２では、コラージュ画像作成画面２２１での表示内容に加えて、切り換え可能な分割フレームを選択する分割フレーム選択ボタンＳＦＢ１、ＳＦＢ２、…が表示される。ユーザは、切り換えを希望する分割フレームの選択ボタンを画面上でタッチして選択する。分割フレーム選択ボタンＳＦＢ１、ＳＦＢ２、…は、画像編集の操作ボタンの一例である。
【０１９２】
各ボタンは、そのボタンによって選択される分割フレームの画像を縮小した画像で構成される。したがって、その外形は、プリント画像の外形と相似形状を有する（ほぼ相似と認められる形状を含む）。
【０１９３】
分割フレーム選択ボタンＳＦＢ１、ＳＦＢ２、…は、テンプレート画像の選択ボタンと同様に、操作領域ＥＡ３に表示され、中心線Ｌ上に設定された点を中心として放射状に表示される。また、操作領域ＥＡ３には、一定数の分割フレーム選択ボタンＳＦＢ１、ＳＦＢ２、…が表示される。その他の分割フレーム選択ボタンについては、テンプレート画像の選択ボタンと同様に、スクロールさせて表示する（図２２参照）。
【０１９４】
分割フレームが切り換えられた場合は、再度、各領域の画像が選択される。
【０１９５】
［プリントを実行した場合の操作画面］
コラージュ画像が完成すると、プリントが可能になる。プリントの実行は、シンプルプリントの場合と同じである。すなわち、画面上でプリントボタンＰＢをタッチして、プリントを指示する。プリントが指示されると、プリンタ１０にプリント画像（生成されたコラージュ画像）の画像データが送信される。画像送信のイメージが、アニメーション表示される点もシンプルプリントの場合と同様である（図１８参照）。
【０１９６】
［変形例］
［プリントの指示操作の変形例］
上記実施の形態では、ボタン表示領域ＥＡ２に表示されたプリントボタンＰＢをタッチ操作することにより、画像表示領域ＥＡ１に表示された画像のプリントを指示する構成としている。当該方法に代えて、あるいは、当該方法に加えて、次の方法でプリントを指示してもよい。すなわち、画像表示領域ＥＡ１に表示されたプリント画像ＰＩの上で又は枠ＦＬの上で画面をスワイプ操作又はフリック操作することにより、プリントを指示する。
【０１９７】
図２７は、フリック操作によりプリントを指示する場合の操作の概念図である。
【０１９８】
同図に示すように、画面に表示された枠ＦＬの上を指でタッチし、上方に弾くように滑らせて、プリントを指示する。
【０１９９】
上記のように、プリントが指示されると、画像送信のイメージがアニメーションで表示される。アニメーション表示の際のプリント画像ＰＩの移動方向と、プリント指示の操作方向とが一致する。これにより、直感的な操作を可能にでき、より操作性を向上できる。
【０２００】
［プリントの中止］
プリントは必要に応じて中止できるようにすることが好ましい。特に、プリントを開始する前においては、プリントを中止できるようにすることにより、プリントシステムの利便性をより向上できる。
【０２０１】
携帯端末側でプリントの中止を指示する方法として、画面上にプリントの中止を指示するボタンを表示する方法を採用できる。
【０２０２】
図２８は、プリントのキャンセルの指示入力を受け付ける画面の一例を示す図である。同図は、画像の送信中にプリントのキャンセルを受け付ける場合の画面の一例を示している。
【０２０３】
上記のように、プリントが指示されると、画像送信のイメージがアニメーションで表示される。アニメーション表示の際のプリント画像ＰＩの上に重ねて、画像の送信中であることを示すメッセージＭＩ１（「画像転送中」）、及び、プリントキャンセルボタンＰＣＢを表示する。プリントキャンセルボタンＰＣＢは、プリントの中止を指示するボタンである。プリントキャンセルボタンＰＣＢは、矩形の枠内にキャンセルの文字を付したボタンで構成される。
【０２０４】
メッセージＭＩ１及びプリントキャンセルボタンＰＣＢは、アニメーション表示の際にプリント画像ＰＩと共に移動する。したがって、最終的には画面の上縁から消える。表示中にプリントキャンセルボタンＰＣＢをタッチすることにより、プリントが中止される。
【０２０５】
プリントを指示した後にプリントキャンセルボタンＰＣＢがタッチされて、プリントが中止された場合は、プリント画像ＰＩが逆方向に移動し、元の位置に復帰する。すなわち、下方向に移動し、移動開始前の位置に復帰する（図１８の画面２０６Ａ参照）。
【０２０６】
このようにプリントキャンセルボタンＰＣＢを表示することにより、プリントを中止できること、及び、そのタイムリミットを把握でき、より操作性を向上できる。
【０２０７】
［画面上での画像加工の操作方法の変形例］
プリントする画像の拡大及び回転等の操作は、所定のジェスチャーで行ってもよい。たとえば、画像表示領域ＥＡ１に表示された画像上でピンチアウト及びピンチインの操作を行うことで、画像を拡大及び縮小させる。また、画像表示領域ＥＡ１に表示された画像上でスワイプ操作することにより、操作方向に画像を移動させる。また、画像表示領域ＥＡ１に表示された画像を二本の指（たとえば親指と人指し指）でタッチして回転（捻る）することにより、画像を回転させる。なお、ピンチインの操作とは、二本の指（たとえば親指と人指し指）で画面をタッチして摘むように動かす操作をいう。ピンチアウトの操作とは、二本の指（たとえば親指と人指し指）で画面をタッチして広げるように動かす操作をいう。
【０２０８】
なお、このように画面上のジェスチャーで拡大、移動及び回転等の操作を行う場合、当該機能のオン及びオフを切り換えられる構成にすることが好ましい。たとえば、プリント画像ＰＩを囲う枠ＦＬにタッチすることで、当該機能のオン及びオフを切り換える構成を採用できる。この場合、枠ＦＬをタッチするたびに、当該機能のオン及びオフが交互に切り換わる。
【０２０９】
また、このように画面上のジェスチャーで拡大、移動及び回転等の操作を行う場合は、操作のガイド画面を表示することが好ましい。
【０２１０】
図２９は、操作のガイド画面の一例を示す図である。
【０２１１】
同図に示すように、画面上のジェスチャーによって画像を拡大、移動及び回転できることを示すメッセージ（「画像上でジェスチャー入力することで画像の編集をすることができます。」）ＭＩ２をプリント画像確認画面２０２に表示する。このメッセージＭＩ２は、たとえば、プリント画像確認画面２０２を最初に表示させる際に表示させる。
【０２１２】
なお、図２９に示す例では、ユーザに確認を促すためにＯＫボタンＯＫＢを表示させている。メッセージＭＩ２は、ＯＫボタンＯＫＢがタッチされることで画面から消される。本メッセージＭＩ２は、設定で表示及び非表示を選択できるようにすることが好ましい。
【０２１３】
また、本例のように、画面上のジェスチャーによって画像を拡大及び回転等させる場合は、拡大及び回転の機能を呼び出すボタン（拡大＆回転ボタンＥＢ１）の表示を省略できる。図２９は、拡大＆回転ボタンの表示を省略した例を示している。
【０２１４】
［ボタンレイアウトの変形例］
上記実施の形態では、ボタン表示領域ＥＡ２において、プリントボタンＰＢを中心線Ｌ上に配置する構成としているが、中心線Ｌ上に配置するボタンの種類は、これに限定されるものではない。その他の機能のボタンを配置してもよい。
【０２１５】
しかし、プリントに係わる操作を行う操作画面において、プリントボタンＰＢを中心線上に配置し、かつ、他のボタンよりも大きなサイズで表示することにより、プリントの指示操作を明確にできる。
【０２１６】
また、上記実施の形態では、ボタン表示領域ＥＡ２には、プリントボタンＰＢ及び画像編集のメニューボタンのみを表示させているが、ボタン表示領域ＥＡ２には、これら以外の機能のボタンを表示してもよい。たとえば、設定ボタンＳＥＢを表示させてもよい。
【０２１７】
［画像編集のメニューの変形例］
上記実施の形態では、画像編集のメニューとして、拡大及び回転の機能、フィルターの機能、及び、画質補正の機能が備えられている場合を例に説明したが、画像編集のメニューとして用意する項目は、これに限定されるものではない。上記の項目に代えて、あるいは、上記の項目に加えて、その他の画像編集を行うことができるようにしてもよい。たとえば、ノイズ除去、シャープネスの変更等が行えるようにしてもよい。
【０２１８】
また、タッチパネルを利用して、画像上に文字を書いたり、絵を描いたり、スタンプを押したりできるようにしてもよい（いわゆるお絵描きモード）。更に、画面上にキーボードを表示し、入力した文字を写し込めるようにしてもよい。たとえば、余白領域に文字を写し込めるようにしてもよい。
【０２１９】
［プリンタが接続されていない場合の操作画面］
プリンタ１０が接続されていない場合（プリンタ１０との間の通信が確立していない場合）、各操作画面において、表示されるプリントボタンに代えて、通信接続ボタンを表示させてもよい。
【０２２０】
図３０は、通信接続ボタンの表示の一例を示す図である。なお、同図は、シンプルプリントの機能の操作画面において、通信接続ボタンを表示した場合の一例を示している。
【０２２１】
同図に示すように、プリントボタンに代えて通信接続ボタンＣＣＢが表示される。通信接続ボタンＣＣＢは、プリンタ１０と通信接続を行うボタンである。通信接続ボタンＣＣＢがタッチされると、通信可能なプリンタ１０を検出する処理が行われ、検出されたプリンタ１０との間で通信を確立させる処理が行われる。この際、スマートフォン１００のタッチパネル１２０には、通信の設定を行う画面が表示される。たとえば、通信可能なプリンタが一覧表示され、接続するプリンタを選択する画面が表示される。
【０２２２】
［インスタントカメラの機能の操作画面］
図３１は、インスタントカメラの機能の操作画面の一例を示す図である。
【０２２３】
インスタントカメラの機能の操作画面２３０では、画像表示領域ＥＡ１にライブビューの画像ＬＶＩが表示される。ライブビューとは、イメージセンサで捉えた映像をリアルタイムに表示させる機能である。
【０２２４】
また、インスタントカメラの機能の操作画面２３０では、ボタン表示領域ＥＡ２にカメラの操作ボタンが表示される。具体的には、フラッシュボタンＣＢ１、イン／アウト切り換えボタンＣＢ２、シャッターボタンＣＢ３、タイマーボタンＣＢ４及びデートボタンＣＢ５が表示される。フラッシュボタンＣＢ１は、フラッシュのモードを切り換えるボタンである。イン／アウト切り換えボタンＣＢ２は、インカメラとアウトカメラを切り換えるボタンである。シャッターボタンＣＢ３は、レリーズを指示するボタンである。タイマーボタンＣＢ４は、タイマー機能のオン及びオフを切り換えるボタンである。デートボタンＣＢ５は、デート機能のオン及びオフを切り換えるボタンである。デート機能とは、プリント画像の所定位置に日付を写し込む機能である。
【０２２５】
カメラの操作ボタンは、シャッターボタンＣＢ３を中心として左右対称に配置される。シャッターボタンＣＢ３は、画面の幅方向の中央に配置される。また、シャッターボタンＣＢ３は、他のボタンよりも大きなサイズで構成される。
【０２２６】
［プリンタの他の例］
上記実施の形態では、プリンタがインスタントプリンタで構成される場合を例に説明したが、プリンタの構成は、これに限定されるものではない。この他、たとえば、感熱紙にプリントする感熱式プリンタ、インクリボンを使用してプリントする熱転写プリンタ、インクジェット方式でプリントするインクジェットプリンタ等の種々の方式のプリンタに適用できる。また、使用するメディアの種類についても特に限定されず、枚葉紙の他、ロール紙にプリントするプリンタにも適用できる。さらに、ラベル（シールを含む）等にプリントするプリンタにも適用できる。
【０２２７】
また、上記実施の形態では、本発明をモバイルプリンタに適用した場合を例に説明したが、本発明の適用は、これに限定されるものではない。いわゆる据え置きタイプのプリンタにも適用できる。
【０２２８】
［操作装置の他の例］
上記実施の形態では、携帯端末を操作装置として使用する場合を例に説明したが、操作装置として使用可能な機器は、これに限定されるものではない。画面へのタッチ操作を検出するタッチパネルと、タッチパネルの表示を制御する表示制御部（ＣＰＵ等）、通信部を備えた構成の機器（特に携帯機器）であれば、操作装置として使用できる。したがって、たとえば、近距離無線通信機能を備え、かつ、表示部がタッチパネルで構成されたデジタルカメラ等を操作装置として使用することもできる。また、これらの機能を備えた携帯ゲーム機等を操作装置として使用することもできる。
【０２２９】
また、表示制御部等の機能を実現するハードウェアは、各種のプロセッサ（processor）で構成できる。各種プロセッサには、プログラムを実行して各種の処理部として機能する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device；ＰＬＤ）、ＡＳＩＣ（Application Specific Integrated Circuit）などの特定の処理を実行させるために専用に設計された回路構成を有するプロセッサである専用電気回路などが含まれる。点検支援装置を構成する１つの処理部は、上記各種プロセッサのうちの１つで構成されていてもよいし、同種又は異種の２つ以上のプロセッサで構成されてもよい。たとえば、１つの処理部は、複数のＦＰＧＡ、あるいは、ＣＰＵとＦＰＧＡの組み合わせによって構成されてもよい。また、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウェアの組み合わせで１つのプロセッサを構成し、このプロセッサが複数の処理部として機能する形態がある。第２に、システムオンチップ（System On Chip；ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種プロセッサを１つ以上用いて構成される。更に、これらの各種のプロセッサのハードウェア的な構造は、より具体的には、半導体素子などの回路素子を組み合わせた電気回路（circuitry）である。
【０２３０】
［通信形態の変形例］
上記実施の形態では、プリンタと携帯端末が無線で通信する形態としているが、有線で通信する形態としてもよい。また、無線で通信する場合において、その通信方式は、特に限定されず、公知の通信方式を採用できる。
【０２３１】
［リモートコントローラーとしての使用］
プリンタ及び携帯端末が無線で通信する場合は、プリンタを携帯端末のリモートコントローラーとして使用してもよい。たとえば、携帯端末が、上記実施の形態のスマートフォンでのように、カメラ機能を備えている場合、そのカメラ機能をプリンタで遠隔操作する態様が考えられる。この場合、たとえば、プリンタ本体１４に備えられた電源ボタン１６をシャッターボタンとして機能させることができる。また、上記実施の形態のプリンタ１０のように、プリンタ本体１４の動きを検出する機能が備えられている場合、そのプリンタ本体１４の動きを検出し、プリンタ本体１４の特定の動きによって、携帯端末の特定の機能を遠隔操作する構成としてもよい。たとえば、プリンタ本体１４を前後に傾ける動きによって、携帯端末に備えられたカメラのズームを制御する構成とすることができる（プリンタ本体１４を前方に傾ける動きによってズームアップし、後方に傾ける動きによってズームアウトする等）。
【符号の説明】
【０２３２】
１０  プリンタ
１２  インスタントフィルム
１２ａ  インスタントフィルムの露光面
１２ｂ  インスタントフィルムの観察面
１２ｃ  インスタントフィルムの露光領域
１２ｄ  インスタントフィルムのポッド部
１２ｅ  インスタントフィルムの現像処理液ポッド
１２ｆ  インスタントフィルムのトラップ部
１２ｇ  インスタントフィルムの吸収材
１２ｈ  インスタントフィルムの観察領域
１２ｉ  インスタントフィルムの観察面の枠
１４  プリンタ本体
１６  電源ボタン
１８  排出口
２０  フィルムパック蓋
２２  ロック解除レバー
２４  ＵＳＢケーブル接続部カバー
３０  フィルムパック装填室
３２  フィルム送出機構
３２ａ  クロー
３４  フィルム搬送機構
３４Ａ  搬送ローラ対
３４Ｂ  展開ローラ対
３６  プリントヘッド
４０  フィルムパック
４２  フィルムパックのケース
４２ａ  ケースの露光用開口
４２ｂ  ケースのフィルム排出口
４２ｃ  ケースのクロー開口部
５０  操作検出部
５２  光源部
５４  光源制御部
５６  無線通信部
５６Ａ  アンテナ
５８  電源部
６０  電源制御部
６２  プリンタ内蔵メモリ
６４  メモリ制御部
６６  動き検出部
６８  フィルム送出機構駆動部
７０  フィルム搬送機構駆動部
７２  プリントヘッド制御部
８０  プリンタマイコン
８０Ａ  画像取得部
８０Ｂ  プリントデータ生成部
８０Ｃ  プリント制御部
８０Ｄ  代表色検出部
８０Ｅ  発光制御部
１００  携帯端末
１００Ａ  表示制御部
１００Ｂ  入力制御部
１００Ｃ  撮影制御部
１００Ｄ  再生制御部
１００Ｅ  画像処理部
１００Ｆ  通信制御部
１０１  ＣＰＵ
１０２  ＲＯＭ
１０３  ＲＡＭ
１０４  内蔵メモリ
１０５  ディスプレイ
１０６  タッチパッド
１０７  ＧＰＳ受信部
１０８Ａ  インカメラ部
１０８Ｂ  アウトカメラ部
１０９  マイク部
１１０  スピーカ部
１１１  無線通信部
１１１Ａ  アンテナ
１１２  近距離無線通信部
１１２Ａ  アンテナ
１１３  センサ部
１１４  メディアドライブ
１１５  メモリカード
１２０  タッチパネル
２００  トップ画面
２０１  画像選択画面
２０１Ａ  キャンセルボタン
２０２  プリント画像確認画面
２０３  回転操作画面
２０４  フィルター操作画面
２０５  画質補正操作画面
２０６Ａ  プリントを指示した場合のアニメーションの一画面
２０６Ｂ  プリントを指示した場合のアニメーションの一画面
２０６Ｃ  プリントを指示した場合のアニメーションの一画面
２１０  テンプレート選択画面
２１２  テンプレート切り換え操作画面
２２０  分割フレーム選択画面
２２１  コラージュ画像作成画面
２２２  分割フレーム切り換え操作画面
２３０  インスタントカメラの機能の操作画面
ＢＢ  バックボタン
ＣＢ１  フラッシュボタン
ＣＢ２  アウト切り換えボタン
ＣＢ３  シャッターボタン
ＣＢ４  タイマーボタン
ＣＢ５  デートボタン
ＣＣＢ  通信接続ボタン
ＥＡ１  画像表示領域
ＥＡ２  ボタン表示領域
ＥＡ３  操作領域
ＥＢ１  回転ボタン
ＥＢ２  フィルターボタン
ＥＢ３  画質補正ボタン
ＥＢ４  テンプレートボタン
ＥＢ５  分割フレームボタン
Ｆ  インスタントフィルムの送り方向
ＦＢ１  ノーマルボタン
ＦＢ２  モノクロボタン
ＦＢ３  セピアボタン
ＦＢ４  オートボタン
ＦＢＢ  境界線ボタン
ＦＢＬ  境界線
ＦＬ  画像表示領域を囲う枠
Ｌ  画面の幅方向の中心線
ＬＶＩ  ライブビューの画像
ＭＡ１  第１グループ表示領域
ＭＡ２  第２グループ表示領域
ＭＡ３  プリンタ情報表示領域
ＭＢ１  シンプルプリントボタン
ＭＢ２  ムービープリントボタン
ＭＢ３  インスタントカメラボタン
ＭＢ４  テンプレートプリントボタン
ＭＢ５  コラージュプリントボタン
ＭＢ６  相性診断ボタン
ＭＢ７  コラージュボタン
ＭＧ１  第１グループ
ＭＧ２  第２グループ
ＭＩ１  メッセージ
ＭＩ２  メッセージ
ＮＢ１  拡大用スライドバーのノブ
ＮＢ２  回転用スライドバーのノブ
ＮＢ３  明るさ調整用スライドバーのノブ
ＮＢ４  コントラスト調整用スライドバーのノブ
ＮＢ５  彩度調整用スライドバーのノブ
ＯＫＢ  ＯＫボタン
ＰＢ  プリントボタン
ＰＩ  プリント画像
Ｒ＋  スクロールの方向
Ｒ−  スクロールの方向
ＲＳＢ  リセットボタン
ＳＢ１  拡大用スライドバー
ＳＢ２  回転用スライドバー
ＳＢ３  明るさ調整用スライドバー
ＳＢ４  コントラスト調整用スライドバー
ＳＢ５  彩度調整用スライドバー
ＳＥＢ  設定ボタン
ＳＦＢ１、ＳＦＢ２、…  分割フレーム選択ボタン
ＴＢ  トップボタン
ＴＢ１、ＴＢ２、…  テンプレート画像の選択ボタン
【図１】
2020195637.tif 000003
【図２】
2020195637.tif 000004
【図３】
2020195637.tif 000005
【図４】
2020195637.tif 000006
【図５】
2020195637.tif 000007
【図６】
2020195637.tif 000008
【図７】
2020195637.tif 000009
【図８】
2020195637.tif 000010
【図９】
2020195637.tif 000011
【図１０】
2020195637.tif 000012
【図１１】
2020195637.tif 000013
【図１２】
2020195637.tif 000014
【図１３】
2020195637.tif 000015
【図１４】
2020195637.tif 000016
【図１５】
2020195637.tif 000017
【図１６】
2020195637.tif 000018
【図１７】
2020195637.tif 000019
【図１８】
2020195637.tif 000020
【図１９】
2020195637.tif 000021
【図２０】
2020195637.tif 000022
【図２１】
2020195637.tif 000023
【図２２】
2020195637.tif 000024
【図２３】
2020195637.tif 000025
【図２４】
2020195637.tif 000026
【図２５】
2020195637.tif 000027
【図２６】
2020195637.tif 000028
【図２７】
2020195637.tif 000029
【図２８】
2020195637.tif 000030
【図２９】
2020195637.tif 000031
【図３０】
2020195637.tif 000032
【図３１】
2020195637.tif 000033
【国際調査報告】
2020195637.tif 000034
2020195637.tif 000035
2020195637.tif 000036
2020195637.tif 000037
2020195637.tif 000038